(57)【要約】      （修正有）【課題】シャツの襟元の閉じ合わせを緊密なものとし、その閉じ合わせた部位を外気から緊密に遮断し、寒気に耐えるようにする襟飾りを提供する。【解決手段】飾り部ｂの上縁側の裏側で、シャツ１の閉じ合わされた第１ボタンに対して重合する部位に、スナップボタン雄型４ｂを付設し、シャツの襟元の第１ボタンが縫着される部位には、その第１ボタンに替えてスナップボタン雄型４ｂに対し嵌合するスナップボタン雌型を付設する。【選択図】図６
0003202011.tif 000002
【実用新案登録請求の範囲】
【請求項１】
着装時に、シャツ（１）の胸元の前面に垂れ下がるように位置する主体部（ａ）の上方に、シャツ（１）の襟元の前面に位置する飾り部（ｂ）を、前記主体部（ａ）に連続させて形成し、その飾り部（ｂ）の左右の肩部には、それぞれ外側に張り出して、シャツ（１）の襟元の立ち代（１０）の外面に重合していく張出部（ｃ）・（ｄ）を、前記飾り部（ｂ）に連続させて形設し、該飾り部（ｂ）の上縁部の裏側で、シャツ（１）の襟元の閉じ合わされた第１ボタン（２）に対して重合する部位に、スナップボタン雌型（４ａ）とスナップボタン雄型（４ｂ）との組み合わせよりなるスナップボタン（４）の、スナップボタン雄型（４ｂ）を付設し、シャツ（１）の襟元の第１ボタン（２）が縫着される部位には、該第１ボタン（２）に替えて、前記飾り部（ｂ）の裏面側に付設せるスナップボタン雄型（４ｂ）に対し嵌合するスナップボタン雌型（４ａ）を付設してなる襟飾り。
【考案の詳細な説明】
【技術分野】
【０００１】
本考案は、洋服の襟元に着装するネクタイ・ブローチ等の襟飾りのうちで、着装したシャツの襟元の第１ボタンを、そのシャツの襟元に設けた第１ボタンホールから外して、シャツを開襟の状態としたところに装着するようにした形態の襟飾りについての改良に関する。
【背景技術】
【０００２】
上述の形態の襟飾りは、装着したときに、主体部はシャツの胸元の前面に垂れ下がるようになるが、その主体部の上方に連続する飾り部は、シャツの襟元の前面に、開襟としたシャツのＶ字形の開放部を覆う状態となって装着されるように形成してある。
【０００３】
そして、この形態の襟飾りは、シャツの襟元部に装着するのに、図１及び図２にあるよう、襟飾りＡの、主体部ａの上方に連続してシャツ１の襟元部に位置するようになる飾り部ｂには、それの左右の肩部から、図３にあるようそれぞれ外側に角状に張り出す張出部ｃ・ｄを設けておき、この張出部ｃ・ｄを、取付部材として、シャツ１の襟元の立ち代１０の外面に当接し、その張出部ｃ・ｄを立ち代１０に対し、適宜の係止手段により係止することで襟飾りＡの装着が行われるようにしている。
【０００４】
即ち、襟飾りＡは、図４及び図５にあるようシャツ１の第１ボタン２と第１ボタンホール３との嵌め合いを外して、開襟の状態としたところに、着装するようにした場合にあっては、シャツ１の第１ボタン２が縫着されている側の立ち代１０の外面に当接する一方の張出部ｃの裏面側には、第１ボタンホール３から外した第１ボタン２に対し嵌り合って係合するボタンホールなどの、係止部材ｅを付設しておき、他方の張出部ｄの裏面側には、第１ボタン２との嵌め合いが外された第１ボタンホール３に対し嵌り合って係合するボタン等の係合部材ｆを付設しておいて、これら、係止部材ｅ及び係合部材ｆの係合により、張出部ｃ・ｄをシャツ１の立ち代１０の外面側に対し連係係止せしめて、襟飾りＡをシャツ１の襟元に着装するようにしている。
【０００５】
ところで、このように飾り部ｂの肩部に設けた張出部ｃ・ｄを取付部材として、シャツ１の襟元に装着する形態の襟飾りＡは、飾り部ｂが、図５にあるように、開襟としたシャツ１の襟元の開放部Ｙの前面を覆い隠す態様となって装着されることから、夏場のむし暑い時期には、襟元を涼しい状態に保持して、快適な状態とするが、冬場の寒い時期には、襟元の部位を寒くする問題が生じてくる。
【先行技術文献】
【特許文献】
【０００６】
【特許文献１】実用新案登録第３１９１０６０号公報
【特許文献２】実用新案登録第３１９１０６１号公報
【考案の概要】
【考案が解決しようとする課題】
【０００７】
本考案は、上述の形態の襟飾りに生じている上述した問題を解決するためになされたものであって、冬場の寒い時期に、寒気が流れ込んでくるシャツの襟元部を、閉じ合わせたシャツの襟元と、それの外面側に重合してくる襟飾りの飾り部とにより、外気から遮断するとともに、このように、外気の襟元への流入を遮断するようになる襟飾りの装着が、簡単な操作により手早く行えるようにする手段を提供する点にある。
【課題を解決するための手段】
【０００８】
本考案においては、この課題を解決するための手段として、着装時に、シャツ１の胸元の前面に垂れ下がるように位置する主体部ａの上方に、シャツ１の襟元の前面に位置する飾り部ｂを、前記主体部ａに連続させて形成し、その飾り部ｂの左右の肩部には、それぞれ外側に張り出して、シャツ１の襟元の立ち代１０の外面に重合していく張出部ｃ・ｄを、前記飾り部ｂに連続させて形設し、該飾り部ｂの上縁部の裏側で、シャツ１の襟元の閉じ合わされた第１ボタン２に対して重合する部位に、スナップボタン雌型４ａとスナップボタン雄型４ｂとの組み合わせよりなるスナップボタン４の、スナップボタン雄型４ｂを付設し、シャツ１の襟元の第１ボタン２が縫着される部位には、該第１ボタン２に替えて、前記飾り部ｂの裏面側に付設せるスナップボタン雄型４ｂに対し嵌合するスナップボタン雌型４ａを付設してなる襟飾りを構成する手段を提起するものである。
【考案の効果】
【０００９】
本考案による襟飾りＡは、それの装着が、シャツ１の襟元に付設してある第１ボタン２に替えて縫着したスナップボタン雌型４ａを、シャツ１の襟元の他方に付設してある第１ボタンホール３に対し係合せしめて、シャツ１の襟元を閉じ合わせた状態としたところに、襟飾りＡの飾り部ｂの裏面側を当て、その裏面側に付設のスナップボタン雄型４ｂを、シャツ１の襟元の第１ボタン２に替えて縫着しておいたスナップボタン雌型４ａに対し嵌合せしめて係着することで、装着操作を終了するようになる。
【００１０】
そして、装着し終えた襟飾りＡは、その襟飾りＡの際に、図５にあるよう立てた状態としておいたシャツ１の襟１１を、折り返して、旧に戻すことで、その戻した襟１１と立ち代１０との間に、飾り部ｂの左右の張出部ｃ・ｄを挟持するようになって、着装した襟飾りＡの横ぶれを阻止して、所定の状態位置に保持するようになる。
【００１１】
しかして、このように装着した襟飾りＡは、シャツ１の襟元を、シャツ１の一方の襟元に付設の第１ボタン２に替えて縫着したスナップボタン雌型４ａが、他方の襟元に付設せる第１ボタンホール３と係合して、シャツ１の襟元を閉じ合わせたところに、飾り部ｂに設けたスナップボタン雄型４ｂが嵌合していくことで、押さえ込むようになることから、シャツ１の襟元の閉じ合わせを緊密なものとし、かつ、その閉じ合わせ部位の外面側を、飾り部ｂが覆い込むようになって、シャツの襟元を外気から緊密に遮断し、寒気に耐えるようにする。
【図面の簡単な説明】
【００１２】
【図１】シャツの開襟とした襟元に装着する形態の襟飾りの正面図である。
【図２】同上の形態の襟飾りの背面図である。
【図３】本考案手段を実施せる襟飾りの正面図である。
【図４】同上の襟飾りの背面図である。
【図５】同上の襟飾りの飾り部の裏面側を、シャツの襟元に当接して、その飾り部の裏面側の上縁部の中央部位に付設しておいたスナップボタン雄型と、シャツの襟元の第１ボタンに替えて付設して、シャツの襟元の第１ボタンホールに係合せしめたスナップボタン雌型とを、嵌め合わせて係着せしめた状態における正面図である。
【図６】同上状態の襟飾りの左右の張出部の外面に対し、立ち上げていたシャツの襟を、旧に戻すよう折り返して、前記左右の張出部を押さえ、襟飾りを、正しく装着した状態の正面図である。
【図７】同上の襟飾りの飾り部の内部に組み込み、その飾り部の形態を整えるための、樹脂材または金属線材で成形した骨格の正面図である。
【図８】同上の襟飾りの飾り部の裏面側の上縁部の中央部及びシャツの第１ボタンが縫着される部位に、それぞれ付設しておくスナップボタン雄型及びスナップボタン雌型の斜視図である。
【図９】同上の襟飾りを形成するネクタイ生地の、型どり截断した状態の、平面視における展開図である。
【図１０】同上の襟飾りの縦断した側面図である。
【考案を実施するための形態】
【００１３】
次に本考案の実施の態様を、実施例につき図面に従い詳述する。
【実施例１】
【００１４】
図３及び図４は、本考案手段を実施せる襟飾りＡをしめし、その図３は正面図、図４は背面図を示す。
【００１５】
襟飾りＡは、図６にあるようシャツ１の襟元部位に装着したときに、シャツ１の胸元の前面に垂れ下がるよう位置してくる主体部ａと、その主体部ａの上方に連続して、シャツ１の襟元部位の前面に位置してくる飾り部ｂとを具備している。そして、その襟飾りＡの飾り部ｂには、それの左右の肩部からそれぞれ外側に向け角状に突出して張り出す張出部ｃ・ｄが連続して形設してある。
【００１６】
これら主体部ａ及び飾り部ｂならびにその飾り部ｂの肩部に設ける張出部ｃ・ｄは、襟飾りＡを、ネクタイ生地の原反から、型どりして截断するときに、図９にあるように、主体部ａの表側生地ａ１と裏側生地ａ２、及び飾り部ｂの表側生地ｂ１と裏側生地ｂ２とが連続するように、ネクタイ生地Ｋを型どり截断し、かつ、飾り部ｂの肩部に形設する張出部ｃ・ｄにあっては、飾り部ｂの表側生地ｂ１と裏側生地ｂ２との接続部位において、それら表側生地ｂ１と裏側生地ｂ２とに跨るように型どり截断して形成することで、主体部ａ及び飾り部ｂに対し連続する形態に形設してある。
【００１７】
そして、該襟飾りＡは、上述した如く型どりして截断したネクタイ生地Ｋの、主体部ａの裏側生地となる裏側生地ａ２及び、飾り部ｂと張出部ｃ・ｄとの裏側生地となる裏側生地ｂ２を、折り返して、主体部ａの表側生地ａ１の裏面側及び飾り部ｂの表側生地ｂ１の裏面側に重ね合わせ、端縁部を縫合することで、一本の袋状に連続する襟飾りＡの本体を仕上げ、その本体の主体部ａの上縁部位を、図１０に示している如く、飾り部ｂの内腔にたぐり上げ、そのたぐり上げ部  αを、飾り部ｂの表側生地ｂ１及び裏側生地ｂ２のそれぞれの内面に沿い折り畳んで、飾り部ｂの表側生地ｂ１と裏側生地ｂ２に対し縫い合わせることで、飾り部ｂに装置し、飾り部ｂを厚みのある形態に仕上げている。このたぐり上げ部αを構成するときに形成される折返縁βは、飾り部ｂの下縁を形成するようになって、その飾り部ｂを襟飾りＡの結び目状に成形するようになる。
【００１８】
しかして、飾り部ｂの内部には、該飾り部ｂの裏側生地ｂ２を、表側生地ｂ１の裏面側に重合して縫合するとき、図７に示すよう、樹脂材またはゴムまたは金属線材で成形した骨格Ｓが装入される。
【００１９】
該骨格Ｓは、弾性を具備する樹脂材による成形または弾性を具備する金属線材による組み立て成形によって、外郭の形状が、形成しようとする飾り部ｂの内周及び該飾り部ｂに連続する張出部ｃ・ｄの内周の輪郭形状に倣う形状に形成してあり、該骨格Ｓの飾り部ｂ内への装入により、飾り部ｂ及び該飾り部ｂから張り出す張出部ｃ・ｄは所定の形状に整形される。このとき、該骨格Ｓの、左右の肩部から突出する部分は、飾り部ｂの左右の張出部ｃ・ｄ内に位置して、その張出部ｃ・ｄを、角状に突出した状態姿勢に保持するが、飾り部ｂを、図５にあるように、シャツ１の襟元に装着したときに、該飾り部ｂに連続する左右の張出部ｃ・ｄを、シャツ１の襟元の立ち代１０・１０の外面に、該骨格Ｓの弾性によって当接していき、後述するスナップボタン４より、シャツ１の襟元に装着した襟飾りＡの左右の揺動を阻止するよう作用する。
【００２０】
また、該骨格Ｓの上縁部の中央部位の鎖線で三角形状に囲った部位ｓは、裏面側の向け傾斜して折り曲がるように整形してあって、これにより、襟飾りの飾り部ｂの上縁部位を、裏面側に向け傾斜させた形状に整形し、着装したときに、顎が当たらないようにしている。
【００２１】
上述の如く、所定の形態のものに成形して仕立てた襟飾りＡの飾り部ｂの、上縁側の中心部位の裏面側には、図８に示している如く、シャツ１の襟元に縫着される第１ボタン２と略同径に形成されるスナップボタン雌型４ａとスナップボタン雄型４ｂとからなるスナップボタン４の一方の型のスナップボタンが取り付けられる。この実施例においては、スナップボタン雄型４ｂが、縫い糸により付設される。
【００２２】
そして、このスナップボタン雄型４ｂと嵌・脱自在に嵌り合うスナップボタン雌型４ａは、シャツ１の襟元の第１ボタン２をシャツ１から取り外して、その第１ボタン２を付設していた位置に、その第１ボタン２に替えて付設する。
【００２３】
このシャツ１の襟元に付設してある第１ボタン２に替えて付設するスナップボタン雌型４ａは、襟飾りＡに付設せるスナップボタン雄型４ｂを嵌め合わせることで、襟飾りＡをスナップボタン４を介して、シャツ１の襟元に装着せしめるためのものであるが、同時に、シャツ１の襟元の第１ボタンホール３にくぐらせてその第１ボタンホール３に嵌合させることで、シャツ１の襟元を閉じ合わせた状態とする役割を果たすものである。そのため、該スナップボタン雌型４ａは、第１ボタンホール３との嵌め合い係合を可能とするよう第１ボタン２と略同径のものに形成してある。
【００２４】
なお、このスナップボタン雌型４ａは、第１ボタン２の外面側に重合した状態として、縫い糸により縫い合わせることで、シャツ１の襟元の第１ボタン２を付設する部位に、存在して付設するようにしてもよい。この場合は、シャツ１の第１ボタンホール３に対するスナップボタン雌型４ａの嵌め合わせ係合が、シャツ１の第１ボタン２と一体的に結合した状態となって行われるようになる。
【００２５】
このように構成せるこの実施例の襟飾りＡは、シャツ１の襟元を、第１ボタンホール３に対し、スナップボタン雌型４ａをくぐらせて嵌め合わせて係止し、シャツ１の襟元を閉じ合わせたところに、襟飾りＡを当て、その襟飾りＡに付設のスナップボタン雄型４ｂを、シャツ１の襟元に位置しているスナップボタン雌型４ａに対し嵌め合わせれば、襟飾りＡの装着が終了するようになるので、装着が簡単に行えるようになる。
【００２６】
そして、襟飾りＡは、スナップボタン雌型４ａとシャツ１の第１ボタンホール３との嵌め合わせにより閉じ合わされているシャツ１の襟元の外面に、前記スナップボタン雌型４ａとスナップボタン雄型４ｂとの嵌合によって密接してくることで、襟元を外気に対し締め付けるようになるから、冬場の寒気の襟元への流入を効果的にする。
【００２７】
また、着装した襟飾りＡは、着装の際に立てておいたシャツ１の襟１１を、正しい位置に折り返して戻すことで、飾り部ｂの左右の張出部ｃ・ｄを、襟１１と立ち代１０との間に挟持するようになるから襟飾りＡを正しい状態位置に保持するようになる。
【００２８】
なお、上述の実施例では、飾り部ｂの左右の張出部ｃ・ｄには、格別の係止手段を付設していないが、一方の張出部ｃの裏面側には、開襟としたシャツ１の襟元の第１ボタン２に対し係脱自在に係合する係止手段（図示省略）を付設し、他方の張出部ｄの裏面側には、シャツ１の外した第１ボタンホール３に対し係脱自在に係合する係止手段（図示省略）を付設しておくときは、その付設した係止手段、係合手段を用いることで、夏場の暑いときに、シャツ１を開襟の状態として襟飾りＡを着装し得るようになる。
【符号の説明】
【００２９】
Ａ    襟飾り
Ｋ    ネクタイ生地
Ｓ    骨格
Ｙ    開放部
α    たぐり上げ部
β    たぐり上げ部の折返縁
ａ    主体部
ａ１  主体部の表側生地
ａ２  主体部の裏側生地
ｂ    飾り部
ｂ１  飾り部の裏側生地
ｂ２  飾り部の表側生地
ｃ・ｄ    張出部
ｅ    係止部材
ｆ    係合部材
ｓ    骨格の折り曲げ部分
１    シャツ
２    第１ボタン
３    第１ボタンホール
４    スナップボタン
４ａ  スナップボタン雌型
４ｂ  スナップボタン雄型
１０    立ち代
１１    襟
【図１】
0003202011.tif 000003
【図２】
0003202011.tif 000004
【図３】
0003202011.tif 000005
【図４】
0003202011.tif 000006
【図５】
0003202011.tif 000007
【図６】
0003202011.tif 000008
【図７】
0003202011.tif 000009
【図８】
0003202011.tif 000010
【図９】
0003202011.tif 000011
【図１０】
0003202011.tif 000012